(57)【要約】  【課題】  ＦＡＸ装置側でインターネット内のサイト情報を閲覧するためには音声認識装置を要する。  【解決手段】  インターネット２内のサイト情報を検索取得するＱＲサーバ４と、受信したサイト情報を印刷出力するＦＡＸ装置６とを有し、ＱＲサーバは、ＦＡＸ装置からサイト情報のＵＲＬ情報及び属性情報のＱＲコード画像のＦＡＸ信号を受信し、このＱＲコード画像を抽出復元することでＵＲＬ情報及び属性情報を取得するＱＲコード抽出復元部３９と、取得したＵＲＬ情報に基づきサイト情報の画面情報をＷｅｂ検索取得するＷｅｂ検索部３６と、この取得したサイト情報の画面情報をＦＡＸ信号でＦＡＸ装置６に送信するＦＡＸ通信部３３とを有し、ＦＡＸ装置は、ＱＲサーバからのＦＡＸ信号を受信すると、このＦＡＸ信号のサイト情報の画面情報を印刷出力するものである。【選択図】  図１
2006126928.tif 000002
【特許請求の範囲】
【請求項１】
インターネットに接続し、前記インターネット内のサイト情報を検索取得するサーバ装置と、前記サーバ装置にて取得したサイト情報を受信し、この受信したサイト情報を可視画像出力するファクシミリ装置とを有するサイト情報検索出力システムであって、
前記サーバ装置は、
前記サイト情報に関わるＵＲＬ情報を含む二次元コードの二次元コード画像を取得する二次元コード画像取得手段と、
前記二次元コード画像取得手段にて取得した二次元コード画像から二次元コードを取得し、この二次元コードを復元する二次元コード復元手段と、
前記二次元コード復元手段にて復元した二次元コードからＵＲＬ情報を取得し、このＵＲＬ情報に基づき、前記サイト情報を検索取得するサイト情報検索手段と、
前記サイト情報検索手段にて検索取得したサイト情報をファクシミリ信号に変換し、このファクシミリ信号を前記ファクシミリ装置に送信するサーバ側送信手段とを有し、
前記ファクシミリ装置は、
前記サーバ装置からのファクシミリ信号を受信するファクシミリ側受信手段と、
前記ファクシミリ側受信手段にて受信したファクシミリ信号を復元することでサイト情報を取得し、このサイト情報を可視画像出力する可視画像出力手段とを有することを特徴とするサイト情報検索出力システム。
【請求項２】
前記ファクシミリ装置は、
前記ＵＲＬ情報を含む二次元コードの二次元コード画像を取得するファクシミリ側二次元コード画像取得手段と、
前記ファクシミリ側二次元コード画像取得手段にて取得した二次元コード画像をファクシミリ信号に変換し、このファクシミリ信号を前記サーバ装置に送信するファクシミリ側送信手段とを有し、
前記サーバ装置の前記二次元コード画像取得手段は、
前記ファクシミリ装置からのファクシミリ信号を受信するサーバ側受信手段を有し、前記サーバ側受信手段にて受信したファクシミリ信号を復元することで前記二次元コード画像を取得することを特徴とする請求項１記載のサイト情報検索出力システム。
【請求項３】
前記ファクシミリ側二次元コード画像取得手段は、
前記ＵＲＬ情報を含む二次元コードを読み取る読取手段を有し、前記読取手段にて前記二次元コードを読み取ることで前記二次元コード画像を取得することを特徴とする請求項２記載のサイト情報検索出力システム。
【請求項４】
前記読取手段は、
前記ファクシミリ装置に対して着脱可能なハンドヘルドスキャナで構成することを特徴とする請求項３記載のサイト情報検索出力システム。
【請求項５】
前記ファクシミリ側二次元コード画像取得手段は、
前記ＵＲＬ情報を含む二次元コードを生成する二次元コード生成手段を有し、前記二次元コード生成手段にて前記二次元コードを生成することで前記二次元コード画像を取得することを特徴とする請求項２記載のサイト情報検索出力システム。
【請求項６】
前記二次元コードは、
前記ＵＲＬ情報を含む二次元コードと、前記ファクシミリ装置の宛先情報に関わる属性情報を含む二次元コードとの二つの二次元コードで構成することを特徴とする請求項１，２，３，４又は５記載のサイト情報検索出力システム。
【請求項７】
前記二次元コードは、
前記ＵＲＬ情報及び、前記ファクシミリ装置の宛先情報に関わる属性情報を合成した一つの二次元コードで構成することを特徴とする請求項１，２，３，４又は５記載のサイト情報検索出力システム。
【請求項８】
前記ＵＲＬ情報を含む二次元コードを撮像して二次元コード画像を取得する撮像手段と、
前記撮像手段にて取得した二次元コード画像を添付し、この添付した電子メールを前記インターネット経由で前記サーバ装置に送信する電子メール送信手段とを有するカメラ付携帯端末装置を備え、
前記サーバ装置の前記二次元コード画像取得手段は、
前記カメラ付携帯端末装置からの電子メールを受信する電子メール受信手段を有し、前記電子メール受信手段にて受信した電子メールの添付画像を展開することで前記二次元コード画像を取得することを特徴とする請求項１記載のサイト情報検索出力システム。
【請求項９】
前記カメラ付携帯端末装置は、
前記二次元コードを生成する端末側二次元コード生成手段を有し、
前記電子メール送信手段は、
前記端末側二次元コード生成手段にて前記二次元コードを生成することで前記二次元コード画像を取得し、この取得した二次元コード画像を電子メールに添付し、この添付した電子メールを前記インターネット経由で前記サーバ装置に送信することを特徴とする請求項８記載のサイト情報検索出力システム。
【請求項１０】
前記二次元コードは、
前記ＵＲＬ情報を含む二次元コードと、前記ファクシミリ装置の宛先情報に関わる属性情報を含む二次元コードとの二つの二次元コードで構成することを特徴とする請求項８又は９記載のサイト情報検索出力システム。
【請求項１１】
前記二次元コードは、
前記ＵＲＬ情報及び、前記ファクシミリ装置の宛先情報に関わる属性情報を合成した一つの二次元コードで構成することを特徴とする請求項８又は９記載のサイト情報検索出力システム。
【請求項１２】
前記サーバ側送信手段は、
前記二次元コード復元手段にて復元した二次元コードから属性情報を取得し、この属性情報に含む宛先情報に基づき、前記ファクシミリ装置に対して前記ファクシミリ信号を送信することを特徴とする請求項６，７，１０又は１１記載のサイト情報検索出力システム。
【請求項１３】
インターネットに接続し、前記インターネット内のサイト情報を検索取得するサーバ装置であって、
前記サイト情報に関わるＵＲＬ情報を含む二次元コードの二次元コード画像を取得する二次元コード画像取得手段と、
前記二次元コード画像取得手段にて取得した二次元コード画像から二次元コードを取得し、この二次元コードを復元する二次元コード復元手段と、
前記二次元コード復元手段にて復元した二次元コードからＵＲＬ情報を取得し、このＵＲＬ情報に基づき、前記サイト情報を検索取得するサイト情報検索手段と、
前記サイト情報検索手段にて検索取得したサイト情報をファクシミリ信号に変換し、このファクシミリ信号をファクシミリ装置に送信するサーバ側送信手段とを有することを特徴とするサーバ装置。
【請求項１４】
ファクシミリ信号を受信するファクシミリ側受信手段と、前記ファクシミリ側受信手段にて受信したファクシミリ信号を可視画像出力する可視画像出力手段を備えたファクシミリ装置であって、
インターネット内のサイト情報に関わるＵＲＬ情報を含む二次元コードの二次元コード画像を取得するファクシミリ側二次元コード画像取得手段と、
前記ファクシミリ側二次元コード画像取得手段にて取得した二次元コード画像をファクシミリ信号に変換し、このファクシミリ信号をサーバ装置に送信するファクシミリ側送信手段とを有し、
前記可視画像出力手段は、
前記ファクシミリ側受信手段にて前記サーバ装置からのサイト情報を含むファクシミリ信号を受信し、この受信したファクシミリ信号を復元することでサイト情報を取得し、このサイト情報を可視画像出力することを特徴とするファクシミリ装置。
【請求項１５】
インターネットに接続し、前記インターネット内のサイト情報をサーバ装置にて検索取得し、前記サーバ装置にて取得したサイト情報をファクシミリ装置に可視画像出力するサイト情報検索出力方法であって、
前記サーバ装置にて前記サイト情報に関わるＵＲＬ情報を含む二次元コードの二次元コード画像を取得するステップと、
前記サーバ装置にて取得した二次元コード画像から二次元コードを取得するステップと、
前記サーバ装置にて取得した二次元コードを復元することで前記ＵＲＬ情報を取得するステップと、
前記サーバ装置にて取得したＵＲＬ情報に基づき、前記サイト情報を検索取得するステップと、
前記サーバ装置にて検索取得した前記サイト情報をファクシミリ信号に変換し、このファクシミリ信号を前記ファクシミリ装置に送信するステップと、
前記ファクシミリ装置にて受信したファクシミリ信号を復元することで、前記サイト情報を可視画像出力するステップとを有することを特徴とするサイト情報検索出力方法。
【発明の詳細な説明】
【技術分野】
【０００１】
本発明は、ファクシミリ装置側でインターネット内の所望のサイト情報、例えばＷＷＷホームページの画面を可視画像出力、例えば印字出力することができるサイト情報検索出力システム、サイト情報検索出力方法、そのファクシミリ装置及びサーバ装置に関する。
【背景技術】
【０００２】
近年、インターネットの普及に伴い、インターネット上のＷＷＷサーバコンピュータ上に蓄積されているサイト情報、例えばＷＷＷホームページの数も爆発的に増え、パソコンを備えていない家庭等でも同ホームページを閲覧したいという要望が年々増えている。
【０００３】
そこで、このようなユーザの要望に答えるべく、パソコン等を使用しなくても、家庭内のＦＡＸ装置で所望のホームページを印字出力することができるシステムが案出されている（例えば特許文献１参照）。
【０００４】
このような特許文献１のシステムとしては、電話機を備えたＦＡＸ装置と、インターネット上のサービスプロバイダ内に配置され、各ホームページを識別するホームページＩＤ及び、このホームページに対応したＵＲＬ情報を記憶管理するＨＴＰＰサーバコンピュータとを有し、ＨＴＴＰコンピュータサーバは、ＦＡＸ装置の電話機を通じて閲覧したいホームページＩＤを音声で音声認識すると、この音声認識したホームページＩＤをＵＲＬ情報に変換して同ＵＲＬ情報に基づきホームページにアクセスし、このホームページの画面をＦＡＸ信号に変換してＦＡＸ装置に伝送し、さらに、ＦＡＸ装置では、ＨＴＴＰサーバからのＦＡＸ信号を受信することで、所望のホームページの画面を印刷出力するものである。
【０００５】
従って、このような特許文献１のシステムによれば、ＦＡＸ装置の電話機からの所望のホームページのホームページＩＤを音声でＨＴＴＰコンピュータサーバに通知することで、所望のホームページの画面をＦＡＸ装置側で印刷出力するようにしたので、ＦＡＸ装置のユーザは、同ＦＡＸ装置にインターネット検索機能が備えてなくても、インターネット内の所望のホームページを閲覧することができる。
【０００６】
また、昨今、携帯電話機の分野においては、例えば雑誌や街頭広告等の印刷物に、例えばホームページのＵＲＬ情報データをコード化した二次元コード、例えばクイックレスポンスコード（以下、単にＱＲコードと称する）を貼付しておき、携帯電話機の内蔵カメラで印刷物上のＱＲコードを撮像してＱＲコード画像を取得し、このＱＲコード画像からＱＲコードを抽出し、さらにＱＲコードを復元することでＵＲＬ情報を取得し、このＵＲＬ情報に基づき同ホームページにアクセスする方法が若年層を中心に急速に普及しているのが現状である。
【特許文献１】特開２０００−３３２９４２号公報(図１及び要約書参照)
【発明の開示】
【発明が解決しようとする課題】
【０００７】
しかしながら、上記特許文献１のシステムによれば、ＦＡＸ装置の電話機を通じて閲覧したいホームページのホームページＩＤを音声でＨＴＴＰコンピュータサーバに通知し、このＨＴＴＰコンピュータサーバ側でホームページＩＤを音声認識して、このホームページＩＤに対応したＵＲＬ情報に変換するようにしたが、ＨＴＴＰコンピュータサーバ側に高度な音声認識処理機能を備える必要があり、しかも、不特定多数の人の音声を認識する音声認識処理技術や、誤認識時における面倒な対応処理技術等を考えると、極めて多大なコストを要する。
【０００８】
また、同システムによれば、ＨＴＴＰサーバにホームページ毎のホームページＩＤを記憶管理する必要があるため、その管理負担も多大となる。
【０００９】
また、昨今、ホームページのＵＲＬ情報に関わるＱＲコードを貼付した印刷物等が広く普及しているため、同ＱＲコード等の二次元コードに対応可能とすることも望まれているのが実情である。
【００１０】
そこで、本発明は上記点に鑑みてなされたものであり、その目的とするところは、音声認識を要することなく、しかも、管理負担も大幅に軽減しながら、二次元コードに対応し、さらには、インターネット検索機能を備えていないＦＡＸ装置であっても、ホームページ等のサイト情報を可視画像出力することができるサイト情報検索出力システム、サイト情報検索出力方法、そのファクシミリ装置及びサーバ装置を提供することにある。
【課題を解決するための手段】
【００１１】
上記目的を達成するために本発明のサイト情報検索出力システムは、インターネットに接続し、インターネット内のサイト情報を検索取得するサーバ装置と、サーバ装置にて取得したサイト情報を受信し、この受信したサイト情報を可視画像出力するファクシミリ装置とを有するサイト情報検索出力システムであって、サーバ装置は、サイト情報に関わるＵＲＬ情報を含む二次元コードの二次元コード画像を取得する二次元コード画像取得手段と、二次元コード画像取得手段にて取得した二次元コード画像から二次元コードを取得し、この二次元コードを復元する二次元コード復元手段と、二次元コード復元手段にて復元した二次元コードからＵＲＬ情報を取得し、このＵＲＬ情報に基づき、サイト情報を検索取得するサイト情報検索手段と、サイト情報検索手段にて検索取得したサイト情報をファクシミリ信号に変換し、このファクシミリ信号をファクシミリ装置に送信するサーバ側送信手段とを有し、ファクシミリ装置は、サーバ装置からのファクシミリ信号を受信するファクシミリ側受信手段と、ファクシミリ側受信手段にて受信したファクシミリ信号を復元することでサイト情報を取得し、このサイト情報を可視画像出力する可視画像出力手段とを有するようにした。
【００１２】
また、上記目的を達成するために本発明のサイト情報検索出力方法は、インターネットに接続し、インターネット内のサイト情報をサーバ装置にて検索取得し、サーバ装置にて取得したサイト情報をファクシミリ装置に可視画像出力するサイト情報検索出力方法であって、サーバ装置にてサイト情報に関わるＵＲＬ情報を含む二次元コードの二次元コード画像を取得するステップと、サーバ装置にて取得した二次元コード画像から二次元コードを取得するステップと、サーバ装置にて取得した二次元コードを復元することでＵＲＬ情報を取得するステップと、サーバ装置にて取得したＵＲＬ情報に基づき、サイト情報を検索取得するステップと、サーバ装置にて検索取得したサイト情報をファクシミリ信号に変換し、このファクシミリ信号をファクシミリ装置に送信するステップと、ファクシミリ装置にて受信したファクシミリ信号を復元することで、サイト情報を可視画像出力するステップとを有するようにした。
【発明の効果】
【００１３】
上記のように構成された本発明のサイト情報検索出力システムによれば、サーバ装置側で、サイト情報に関わるＵＲＬ情報を含む二次元コードの二次元コード画像を取得し、この取得した二次元コード画像から二次元コードを取得し、この二次元コードを復元することでＵＲＬ情報を取得し、このＵＲＬ情報に基づきサイト情報を検索取得し、この検索取得したサイト情報をファクシミリ信号に変換し、このファクシミリ信号をファクシミリ装置に送信すると共に、ファクシミリ装置側では、サーバ装置からのファクシミリ信号を受信し、この受信したファクシミリ信号を復元することでサイト情報を取得し、このサイト情報を可視画像出力するようにしたので、ファクシミリ装置のユーザは、例えば閲覧したいサイト情報のＵＲＬ情報を含む二次元コードの二次元コード画像を使用することで、音声認識を使用することなく、インターネット検索機能を備えていなくても、簡単に、所望のサイト情報を閲覧することができる。
【発明を実施するための最良の形態】
【００１４】
本願請求項１記載のサイト情報検索出力システムは、インターネットに接続し、前記インターネット内のサイト情報を検索取得するサーバ装置と、前記サーバ装置にて取得したサイト情報を受信し、この受信したサイト情報を可視画像出力するファクシミリ装置とを有するサイト情報検索出力システムであって、前記サーバ装置は、前記サイト情報に関わるＵＲＬ情報を含む二次元コードの二次元コード画像を取得する二次元コード画像取得手段と、前記二次元コード画像取得手段にて取得した二次元コード画像から二次元コードを取得し、この二次元コードを復元する二次元コード復元手段と、前記二次元コード復元手段にて復元した二次元コードからＵＲＬ情報を取得し、このＵＲＬ情報に基づき、前記サイト情報を検索取得するサイト情報検索手段と、前記サイト情報検索手段にて検索取得したサイト情報をファクシミリ信号に変換し、このファクシミリ信号を前記ファクシミリ装置に送信するサーバ側送信手段とを有し、前記ファクシミリ装置は、前記サーバ装置からのファクシミリ信号を受信するファクシミリ側受信手段と、前記ファクシミリ側受信手段にて受信したファクシミリ信号を復元することでサイト情報を取得し、このサイト情報を可視画像出力する可視画像出力手段とを有するようにした。
【００１５】
従って、本願請求項１記載のサイト情報検索出力システムによれば、サーバ装置側で、例えばホームページ画面等のサイト情報に関わるＵＲＬ情報を含む、例えばＱＲコード等の二次元コードの二次元コード画像を取得し、この取得した二次元コード画像から二次元コードを取得復元することでＵＲＬ情報を取得し、このＵＲＬ情報に基づきサイト情報を検索取得し、この検索取得したサイト情報をファクシミリ信号に変換し、このファクシミリ信号をファクシミリ装置に送信すると共に、ファクシミリ装置側では、サーバ装置からのファクシミリ信号を受信し、この受信したファクシミリ信号を復元することでサイト情報を取得し、このサイト情報を可視画像出力するようにしたので、ファクシミリ装置のユーザは、例えば閲覧したいサイト情報のＵＲＬ情報を含む二次元コードの二次元コード画像を使用することで、音声認識を使用することなく、インターネット検索機能を備えていなくても、簡単に、所望のサイト情報を閲覧することができる。
【００１６】
また、本願請求項１記載のサイト情報検索出力システムによれば、サーバ装置からサイト情報を可視画像出力可能とするファクシミリ信号でファクシミリ装置に伝送するようにしたので、ファクシミリ装置では、サーバ装置と通信接続するための特別な通信プロトコル実装を要することなく、しかもサイト情報を可視画像出力するための特別な構成も必要としない。
【００１７】
本願請求項２記載のサイト情報検索出力システムは、本願請求項１記載の構成において、前記ファクシミリ装置は、前記ＵＲＬ情報を含む二次元コードの二次元コード画像を取得するファクシミリ側二次元コード画像取得手段と、前記ファクシミリ側二次元コード画像取得手段にて取得した二次元コード画像をファクシミリ信号に変換し、このファクシミリ信号を前記サーバ装置に送信するファクシミリ側送信手段とを有し、前記サーバ装置の前記二次元コード画像取得手段は、前記ファクシミリ装置からのファクシミリ信号を受信するサーバ側受信手段を有し、前記サーバ側受信手段にて受信したファクシミリ信号を復元することで前記二次元コード画像を取得するようにした。
【００１８】
従って、本願請求項２記載のサイト情報検索出力システムによれば、ファクシミリ装置側にＵＲＬ情報を含む二次元コードの二次元コード画像を取得するファクシミリ側二次元コード画像取得手段を備え、この二次元コード画像をファクシミリ信号で前記サーバ装置に送信し、前記サーバ装置では、同ファクシミリ信号を復元することで二次元コード画像を取得するようにしたので、ファクシミリ装置のユーザは、所望のサイト情報のＵＲＬ情報を含む二次元コードの二次元コード画像をファクシミリ信号でサーバ装置に通知することができる。
【００１９】
本願請求項３記載のサイト情報検索出力システムは、本願請求項２記載の構成において、前記ファクシミリ側二次元コード画像取得手段が、前記ＵＲＬ情報を含む二次元コードを読み取る読取手段を有し、前記読取手段にて前記二次元コードを読み取ることで前記二次元コード画像を取得するようにした。
【００２０】
従って、本願請求項３記載のサイト情報検索出力システムによれば、前記ファクシミリ側二次元コード画像取得手段に、前記ＵＲＬ情報を含む二次元コードを読み取る読取手段を持たせ、この読取手段にて二次元コードを読み取ることで二次元コード画像を取得するようにしたので、ファクシミリ装置のユーザは、読取手段を使用して所望のサイト情報のＵＲＬ情報を含む二次元コードの二次元コード画像を簡単に取り込むことができる。
【００２１】
本願請求項４記載のサイト情報検索出力システムは、本願請求項３記載の構成において、前記読取手段は、前記ファクシミリ装置に対して着脱可能なハンドヘルドスキャナで構成するようにした。
【００２２】
従って、本願請求項４記載のサイト情報検索出力システムによれば、前記ハンドヘルドスキャナを使用して所望のサイト情報のＵＲＬ情報を含む二次元コードの二次元コード画像を簡単に取り込むことができる。
【００２３】
本願請求項５記載のサイト情報検索出力システムは、本願請求項２記載の構成において、前記ファクシミリ側二次元コード画像取得手段は、前記ＵＲＬ情報を含む二次元コードを生成する二次元コード生成手段を有し、前記二次元コード生成手段にて前記二次元コードを生成することで前記二次元コード画像を取得するようにした。
【００２４】
従って、本願請求項５記載のサイト情報検索出力システムによれば、前記ファクシミリ側二次元コード画像取得手段に、前記ＵＲＬ情報を含む二次元コードを生成する二次元コード生成手段を持たせ、この二次元コード生成手段にて所望のサイト情報のＵＲＬ情報を含む二次元コードを生成して同二次元コードの二次元コード画像を取得するようにしたので、ファクシミリ装置のユーザは、二次元コード生成手段を使用して所望のサイト情報のＵＲＬ情報を含む二次元コードの二次元コード画像を簡単に取得することができる。
【００２５】
本願請求項６記載のサイト情報検索出力システムは、本願請求項１，２，３，４又は５記載の構成において、前記二次元コードが、前記ＵＲＬ情報を含む二次元コードと、前記ファクシミリ装置の宛先情報に関わる属性情報を含む二次元コードとの二つの二次元コードで構成するようにした。
【００２６】
従って、本願請求項６記載のサイト情報検索出力システムによれば、前記サーバ装置の二次元コード画像取得手段で取得する二次元コード画像の二次元コードを、ＵＲＬ情報を含む二次元コードと、出力先であるファクシミリ装置の宛先情報に関わる属性情報を含む二次元コードとの二つの二次元コードで構成するようにしたので、サーバ装置は、出力先であるファクシミリ装置の宛先情報を認識することができる。
【００２７】
本願請求項７記載のサイト情報検索出力システムは、本願請求項１，２，３，４又は５記載の構成において、前記二次元コードが、前記ＵＲＬ情報及び、前記ファクシミリ装置の宛先情報に関わる属性情報を合成した一つの二次元コードで構成するようにした。
【００２８】
従って、本願請求項７記載のサイト情報検索出力システムによれば、前記サーバ装置の二次元コード画像取得手段で取得する二次元コード画像の二次元コードを、前記ＵＲＬ情報及び、前記ファクシミリ装置の宛先情報に関わる属性情報を合成した一つの二次元コードで構成するようにしたので、サーバ装置は、出力先であるファクシミリ装置の宛先情報を認識することができると共に、前記ＵＲＬ情報及び属性情報を一つの二次元コードにまとめることでファクシミリ信号の伝送データ量を削減することができる。
【００２９】
本願請求項８記載のサイト情報検索出力システムは、本願請求項１記載の構成において、前記ＵＲＬ情報を含む二次元コードを撮像して二次元コード画像を取得する撮像手段と、前記撮像手段にて取得した二次元コード画像を添付し、この添付した電子メールを前記インターネット経由で前記サーバ装置に送信する電子メール送信手段とを有するカメラ付携帯端末装置を備え、前記サーバ装置の前記二次元コード画像取得手段は、前記カメラ付携帯端末装置からの電子メールを受信する電子メール受信手段を有し、前記電子メール受信手段にて受信した電子メールの添付画像を展開することで前記二次元コード画像を取得するようにした。
【００３０】
従って、本願請求項８記載のサイト情報検索出力システムによれば、カメラ付携帯端末装置側でＵＲＬ情報を含む二次元コードを撮像して二次元コード画像を取得し、この二次元コード画像を電子メールに添付して、インターネット経由で前記サーバ装置に送信し、サーバ装置側では、同電子メールの添付を展開することで二次元コード画像を取得するようにしたので、カメラ付携帯端末装置のユーザは、所望のサイト情報のＵＲＬ情報を含む二次元コードの二次元コード画像を電子メールでサーバ装置に通知することができる。
【００３１】
また、本願請求項８記載のサイト情報検索出力システムによれば、カメラ付携帯端末装置の表示画面が小さくて、所望のサイト情報全部を画面表示することができなくても、カメラ付携帯端末装置のユーザは、ファクシミリ装置を使用して所望のサイト情報を閲覧することができる。
【００３２】
本願請求項９記載のサイト情報検索出力システムは、本願請求項８記載の構成において、前記カメラ付携帯端末装置は、前記二次元コードを生成する端末側二次元コード生成手段を有し、前記電子メール送信手段は、前記端末側二次元コード生成手段にて前記二次元コードを生成することで前記二次元コード画像を取得し、この取得した二次元コード画像を電子メールに添付し、この添付した電子メールを前記インターネット経由で前記サーバ装置に送信するようにした。
【００３３】
従って、本願請求項９記載のサイト情報検索出力システムによれば、カメラ付携帯端末装置に二次元コードを生成する端末側二次元コード生成手段を備え、この端末側二次元コード生成手段にてＵＲＬ情報を含む二次元コードを生成することで二次元コード画像を取得し、この取得した二次元コード画像を電子メールに添付して前記インターネット経由で前記サーバ装置に送信するようにしたので、カメラ付携帯端末装置のユーザは、端末側二次元コード生成手段を使用して所望のサイト情報のＵＲＬ情報を含む二次元コードの二次元コード画像を簡単に取得することができる。
【００３４】
本願請求項１０記載のサイト情報検索出力システムは、本願請求項８又は９記載の構成において、前記二次元コードは、前記ＵＲＬ情報を含む二次元コードと、前記ファクシミリ装置の宛先情報に関わる属性情報を含む二次元コードとの二つの二次元コードで構成するようにした。
【００３５】
従って、本願請求項１０記載のサイト情報検索出力システムによれば、前記サーバ装置の二次元コード画像取得手段で取得する二次元コード画像の二次元コードを、ＵＲＬ情報を含む二次元コードと、出力先であるファクシミリ装置の宛先情報に関わる属性情報を含む二次元コードとの二つの二次元コードで構成するようにしたので、サーバ装置は、出力先であるファクシミリ装置の宛先情報を認識することができる。
【００３６】
本願請求項１１記載のサイト情報検索出力システムは、本願請求項８又は９記載の構成において、前記二次元コードは、前記ＵＲＬ情報及び、前記ファクシミリ装置の宛先情報に関わる属性情報を合成した一つの二次元コードで構成するようにした。
【００３７】
従って、本願請求項１１記載のサイト情報検索出力システムによれば、前記サーバ装置の二次元コード画像取得手段で取得する二次元コード画像の二次元コードを、前記ＵＲＬ情報及び、前記ファクシミリ装置の宛先情報に関わる属性情報を合成した一つの二次元コードで構成するようにしたので、サーバ装置は、出力先であるファクシミリ装置の宛先情報を認識することができると共に、前記ＵＲＬ情報及び属性情報を一つの二次元コードにまとめることで伝送データ量を削減することができる。
【００３８】
また、本願請求項１２記載のサイト情報検索出力システムは、本願請求項６，７、１０又は１１記載の構成において、前記サーバ側送信手段は、前記二次元コード復元手段にて復元した二次元コードから属性情報を取得し、この属性情報に含む宛先情報に基づき、前記ファクシミリ装置に対して前記ファクシミリ信号を送信するようにした。
【００３９】
従って、本願請求項１２記載のサイト情報検索出力システムによれば、二次元コード復元手段にて復元した二次元コードから属性情報を取得し、この属性情報に含む宛先情報に基づき、前記ファクシミリ装置に対して前記ファクシミリ信号を送信するようにしたので、サーバ装置側では、属性情報に含む宛先情報に基づき、出力先のファクシミリ装置を認識することができる。
【００４０】
本願請求項１３記載のサーバ装置は、インターネットに接続し、前記インターネット内のサイト情報を検索取得するサーバ装置であって、前記サイト情報に関わるＵＲＬ情報を含む二次元コードの二次元コード画像を取得する二次元コード画像取得手段と、前記二次元コード画像取得手段にて取得した二次元コード画像から二次元コードを取得し、この二次元コードを復元する二次元コード復元手段と、前記二次元コード復元手段にて復元した二次元コードからＵＲＬ情報を取得し、このＵＲＬ情報に基づき、前記サイト情報を検索取得するサイト情報検索手段と、前記サイト情報検索手段にて検索取得したサイト情報をファクシミリ信号に変換し、このファクシミリ信号をファクシミリ装置に送信するサーバ側送信手段とを有するようにした。
【００４１】
従って、本願請求項１３記載のサーバ装置によれば、例えばホームページ画面等のサイト情報に関わるＵＲＬ情報を含む、例えばＱＲコード等の二次元コードの二次元コード画像を取得すると、この取得した二次元コード画像から二次元コードを取得復元することでＵＲＬ情報を取得し、このＵＲＬ情報に基づきサイト情報を検索取得し、この検索取得したサイト情報をファクシミリ信号に変換し、このファクシミリ信号をファクシミリ装置に送信するようにしたので、ファクシミリ装置のユーザは、例えば閲覧したいサイト情報のＵＲＬ情報を含む二次元コードの二次元コード画像を使用することで、音声認識を使用することなく、インターネット検索機能を備えていなくても、簡単に、サーバ装置からのファクシミリ信号を受信すると、同所望のサイト情報を閲覧することができる。
【００４２】
本願請求項１４記載のファクシミリ装置は、ファクシミリ信号を受信するファクシミリ側受信手段と、前記ファクシミリ側受信手段にて受信したファクシミリ信号を可視画像出力する可視画像出力手段を備えたファクシミリ装置であって、インターネット内のサイト情報に関わるＵＲＬ情報を含む二次元コードの二次元コード画像を取得するファクシミリ側二次元コード画像取得手段と、前記ファクシミリ側二次元コード画像取得手段にて取得した二次元コード画像をファクシミリ信号に変換し、このファクシミリ信号をサーバ装置に送信するファクシミリ側送信手段とを有し、前記可視画像出力手段は、前記ファクシミリ側受信手段にて前記サーバ装置からのサイト情報を含むファクシミリ信号を受信し、この受信したファクシミリ信号を復元することでサイト情報を取得し、このサイト情報を可視画像出力するようにした。
【００４３】
従って、本願請求項１４記載のファクシミリ装置によれば、サイト情報に関わるＵＲＬ情報を含む二次元コードの二次元コード画像を取得し、この二次元コード画像をファクシミリ信号に変換してサーバ装置に送信すると、前記サーバ装置から同サイト情報を含むファクシミリ信号を復元することでサイト情報を取得し、このサイト情報を可視画像出力するようにしたので、前記ファクシミリ装置のユーザは、例えば閲覧したいサイト情報のＵＲＬ情報を含む二次元コードの二次元コード画像を使用することで、音声認識を使用することなく、インターネット検索機能を備えていなくても、簡単に、サーバ装置からのファクシミリ信号を受信するだけで、同所望のサイト情報を閲覧することができる。
【００４４】
本願請求項１５記載のサイト情報検索出力方法は、インターネットに接続し、前記インターネット内のサイト情報をサーバ装置にて検索取得し、前記サーバ装置にて取得したサイト情報をファクシミリ装置に可視画像出力するサイト情報検索出力方法であって、前記サーバ装置にて前記サイト情報に関わるＵＲＬ情報を含む二次元コードの二次元コード画像を取得するステップと、前記サーバ装置にて取得した二次元コード画像から二次元コードを取得するステップと、前記サーバ装置にて取得した二次元コードを復元することで前記ＵＲＬ情報を取得するステップと、前記サーバ装置にて取得したＵＲＬ情報に基づき、前記サイト情報を検索取得するステップと、前記サーバ装置にて検索取得した前記サイト情報をファクシミリ信号に変換し、このファクシミリ信号を前記ファクシミリ装置に送信するステップと、前記ファクシミリ装置にて受信したファクシミリ信号を復元することで、前記サイト情報を可視画像出力するステップとを有するようにした。
【００４５】
従って、本願請求項１５記載のサイト情報検索出力方法によれば、サーバ装置側で、サイト情報に関わるＵＲＬ情報を含む二次元コードの二次元コード画像を取得し、この取得した二次元コード画像から二次元コードを取得し、この二次元コードを復元することでＵＲＬ情報を取得し、このＵＲＬ情報に基づきサイト情報を検索取得し、この検索取得したサイト情報をファクシミリ信号に変換し、このファクシミリ信号をファクシミリ装置に送信すると共に、ファクシミリ装置側では、サーバ装置からのファクシミリ信号を受信し、この受信したファクシミリ信号を復元することでサイト情報を取得し、このサイト情報を可視画像出力するようにしたので、ファクシミリ装置のユーザは、例えば閲覧したいサイト情報のＵＲＬ情報を含む二次元コードの二次元コード画像を使用することで、音声認識を使用することなく、インターネット検索機能を備えていなくても、簡単に、所望のサイト情報を閲覧することができる。
【００４６】
以下、図面に基づいて本発明のサイト情報検索出力システムに関わる実施の形態を示すＦＡＸ用サイト情報検索出力システムについて説明する。
【００４７】
（実施の形態１）
図１は第１の実施の形態を示すＦＡＸ用サイト情報検索出力システム内部の概略構成を示すブロック図である。
【００４８】
図１に示すＦＡＸ用サイト情報検索出力システム１は、インターネット２上のインターネット回線２Ａに接続し、インターネット２内のホームページ等のサイト情報を検索取得するサービスプロバイダ（インターネットサービスプロバイダ（ＩＳＰ）又はアプリケーションサービスプロバイダ（ＡＳＰ））３内のＱＲサーバ４と、公衆網５上の公衆回線５Ａを経由してＱＲサーバ４と接続し、このＱＲサーバ４にて取得したサイト情報の画像情報をＦＡＸ受信し、この受信したサイト情報の画像を印刷出力するＦＡＸ装置６とを有している。
【００４９】
ＱＲサーバ４は、サービスプロバイダ３内のターミナルアダプタ（以下、単にＴＡと称する）４Ａを通じて公衆回線５Ａ及びインターネット回線２Ａと通信接続するものである。
【００５０】
ＦＡＸ装置６は、例えばサイト情報にアクセスするためのＵＲＬ情報をコード化したＱＲコードを貼り付けたカタログ等の印刷物７Ａや、同ＱＲコードを表示した携帯電話機７Ｂの表示画面上から同ＱＲコード画像を読み取るハンドヘルドスキャナ６Ａを備えている。尚、ハンドヘルドスキャナ６Ａは、通常、ＦＡＸ装置６に着脱可能に装着され、送信原稿やコピー原稿を読み取るためのスキャナに相当するものである。
【００５１】
また、ＱＲコードとしては、例えば料理の詳細なレシピ情報を蓄積したホームページ内のサイト情報にアクセスするためのＵＲＬ情報を二次元コード化したものであり、ＦＡＸ装置６では、ハンドヘルドスキャナ６Ａで印刷物上のＱＲコードを読み取ることで、同ＱＲコードのＱＲコード画像を取得するものである。
【００５２】
図２はＦＡＸ装置６内部の概略構成を示すブロック図である。
【００５３】
図２に示すＦＡＸ装置６は、着脱可能なハンドヘルドスキャナ６Ａと、このハンドヘルドスキャナ６Ａを通じて印刷物７Ａ上のＵＲＬ情報に相当するＱＲコードのＱＲコード画像を取得すべく、ハンドヘルドスキャナ６Ａの読取動作を制御する読取制御部１１と、取得したＱＲコード画像を格納する画像メモリ１２と、テキスト情報からＱＲコードを作成するＱＲコード生成部１３と、ＱＲコード生成部１３にて生成したＱＲコードのＱＲコード画像を格納するＱＲコードメモリ１４と、作業領域としての作業バッファ１５と、ＦＡＸ通信の通信制御を司る通信制御部１６と、符号化処理ソフトでデータ圧縮又はデータ伸長する圧縮伸長制御部１７と、ＦＡＸ信号に変復調する変復調部１８と、ＦＡＸ装置６のＦＡＸ送信又はＦＡＸ受信の際に使用する通信メモリ１９と、公衆網回線５Ａとの通信インタフェースを司る回線制御部２０と、画像メモリ１２、ＱＲコードメモリ１４及び通信メモリ１９を制御するメモリ制御部２１と、この通信メモリ１９に格納中の受信データを印刷出力する印刷出力部２２と、ＦＡＸ装置６に関わる様々な指令を入力すると共に、様々な情報を画面表示する操作パネル２３と、この操作パネル２３を制御する操作パネル制御部２４と、ＦＡＸ装置６内のメカ機構を制御する機構制御部２５と、このＦＡＸ装置６内の各部位をＣＰＵバス２６で接続することで、同ＦＡＸ装置６全体を制御するシステム制御部２７とを有している。
【００５４】
読取制御部１１は、ハンドヘルドスキャナ６Ａと接続し、例えば携帯電話機７Ｂの表示画面上や印刷物７Ａ上のＱＲコード画像を読取制御し、このＱＲコード画像を画像メモリ１２に格納するものである。
【００５５】
ＱＲコード生成部１３は、テキスト情報からＱＲコードを生成するＱＲコードジェネレータソフトウェアで構成し、この生成したＱＲコードのＱＲコード画像をＱＲコードメモリ１４に格納するものである。尚、前述した操作パネル２３上の操作ボタンを使用することで、例えば自局ＦＡＸ番号や機器タイプ等の属性情報等のテキスト情報を入力することができるものである。
【００５６】
圧縮伸長制御部１７は、例えばＦＡＸ送信原稿画像、画像メモリ１２に格納中のＵＲＬ情報のＱＲコード画像や、ＱＲコードメモリ１４に格納中の機器情報のＱＲコード画像を、国際標準化符号化法、例えばモディファイドハフマン符号化（ＭＨ）、モディファイドリード符号化（ＭＲ）、モディファイドＭＲ符号化（ＭＭＲ）等で圧縮伸長の符号化処理を実行するものである。
【００５７】
通信制御部１６は、変復調部１８にてＦＡＸ送信対象の２値化データをアナログのＦＡＸ信号に変調し、回線制御部２０を通じてＦＡＸ信号を公衆網５経由でＱＲサーバ４に送信すると共に、回線制御部２０を通じてＦＡＸ信号を受信すると、変復調部１８にて受信したＦＡＸ信号を２値化データに復調するものである。
【００５８】
メモリ制御部２１は、システム制御部２７からの指令に基づき、例えば画像メモリ１２、ＱＲコードメモリ１４及び通信メモリ１９に対してアドレス管理、データ格納、データ消去等のメモリ制御動作を実行するものである。
【００５９】
操作パネル２３は、例えばハンドヘルドスキャナ６Ａを使用してＦＡＸ送信、コピー操作を指示するボタンの他に、ハンドヘルドスキャナ６ＡでＱＲコードの読取開始又は終了を指示するＱＲボタン２３Ａを備えているものとする。
【００６０】
印刷出力部２２は、通信メモリ１９に格納中の回線制御部２０で受信したＦＡＸ信号を変復調部１８で２値化データに復調し、この復調したデータを圧縮伸長制御部１７で伸長して元のラインデータ、例えばビットマップデータに復元し、このビットマップデータを印刷出力するものである。
【００６１】
尚、ＦＡＸ装置６では、ハンドヘルドスキャナ６Ａで所望ＵＲＬ情報のＱＲコードのＱＲコード画像を取得すると共に、ＱＲコード生成部１３にて自局のＦＡＸ番号及び機器タイプを示す属性情報のＱＲコードのＱＲコード画像を生成し、図４に示すように、これらＵＲＬ情報のＱＲコード画像及び属性情報のＱＲコード画像をＦＡＸ信号でＱＲサーバ４に送信するものである。
【００６２】
図３はＱＲサーバ４内部の概略構成を示すブロック図である。
【００６３】
図３に示すＱＲサーバ４は、公衆回線５Ａとの通信インタフェースを司るサーバ側回線制御部３１と、インターネット回線２Ａとの通信インタフェースを司るサーバ側インターネット制御部３２と、ＦＡＸ通信の通信動作を司るＦＡＸ通信部３３と、電子メールを受信するサーバ側電子メール受信部３４と、インターネット通信の通信動作を司るサーバ側通信制御部３５と、インターネット２内のＷｅｂ情報（サイト情報）を検索取得するＷｅｂ検索部３６と、このＷｅｂ検索部３６にて検索取得したサイト情報の画像を格納するＷｅｂメモリ３７と、サーバ側電子メール受信部３４にて受信した電子メールに添付した添付画像を格納する添付画像メモリ３８と、例えば前述したＦＡＸ装置６からＦＡＸ受信したＱＲコード画像からＱＲコードを抽出復元するＱＲコード抽出復元部３９と、ＱＲコードを格納するサーバ側ＱＲコードメモリ４０と、作業領域としてのサーバ側作業バッファ４１と、符号化処理ソフトでデータ圧縮又はデータ伸長する符号化処理部４２と、ＦＡＸ信号に変復調するサーバ側データ変換部４３と、ＦＡＸ通信部３３のＦＡＸ送信又はＦＡＸ受信の際に使用するサーバ側通信メモリ４４と、添付画像メモリ３８、Ｗｅｂメモリ３７、サーバ側通信メモリ４４及びサーバ側ＱＲコードメモリ４０を制御するサーバ側メモリ制御部４５と、ＱＲサーバ４内の各部位をＣＰＵバス４６で接続することで、同ＱＲサーバ４全体を制御するサーバ側システム制御部４７とを有している。
【００６４】
ＦＡＸ通信部３３は、サーバ側回線制御部３１を通じてＵＲＬ情報のＱＲコード画像及び属性情報のＱＲコード画像のＦＡＸ信号をＦＡＸ装置６から受信すると、このＦＡＸ信号をサーバ側通信メモリ４４に格納し、同ＦＡＸ信号を圧縮データに復調すると共に、この復調した圧縮データを符号化処理部４２で伸長することでＵＲＬ情報のＱＲコード画像及び属性情報のＱＲコード画像を取得し、これらＵＲＬ情報のＱＲコード画像及び属性情報のＱＲコード画像をサーバ側ＱＲコードメモリ４０に格納するものである。
【００６５】
ＱＲコード抽出復元部３９は、サーバ側ＱＲコードメモリ４０に格納中のＵＲＬ情報のＱＲコード画像及び属性情報のＱＲコード画像からＱＲコードを夫々抽出し、これら抽出されたＱＲコードを復元することでＵＲＬ情報及び属性情報を取得し、これら復元したＵＲＬ情報及び属性情報をサーバ側ＱＲコードメモリ４０に格納するものである。
【００６６】
サーバ側インターネット制御部３２は、インターネット回線２Ａに常時接続し、Ｗｅｂ検索部３６を通じて、サーバ側ＱＲコードメモリ４０に格納中のＵＲＬ情報に基づき、同サイト情報へのアクセスを実行することで、同サイト情報の画像情報（ＨＴＭＬ記述データ、ＪＰＥＧ画像やｇｉｆ画像等）を取得し、この取得した画像情報をＷｅｂメモリ３７に格納するものである。
【００６７】
サーバ側データ変換部４３は、Ｗｅｂメモリ３７に格納中のサイト情報の画像情報（ＨＴＭＬ記述データ、ＪＰＥＧ画像やｇｉｆ画像等）をＦＡＸ装置６側で印字出力可能にするビットマップデータ形式に変換して格納するものである。
【００６８】
ＦＡＸ通信部３３は、サーバ側データ変換部４３に格納中のサイト情報に関わるビットマップデータを符号化処理部４２を通じて圧縮化し、この圧縮データをＦＡＸ信号に変調してサーバ側通信メモリ４４に格納すると共に、サーバ側ＱＲコードメモリ４０に格納中の属性情報に含まれるＦＡＸ番号に基づき、同サイト情報のビットマップデータを変調したＦＡＸ信号をＦＡＸ装置６に送信するものである。
【００６９】
すなわち、ＱＲサーバ４では、ＦＡＸ装置６からのＵＲＬ情報及び属性情報のＱＲコード画像をＦＡＸ信号で受信すると、このＦＡＸ信号を復調してＵＲＬ情報及び属性情報のＱＲコード画像を取得し、このＱＲコード画像からＵＲＬ情報及び属性情報のＱＲコードを抽出復元することで、同復元したＵＲＬ情報に基づき同ＵＲＬ情報に対応したサイト情報を取得し、このサイト情報の画像情報をビットマップ形式に変換して同ＦＡＸ装置６にＦＡＸ信号で提供するものである。
【００７０】
また、サーバ側インターネット制御部３２は、インターネット２に常時接続して電子メール受信時においては特定のメールサーバに接続して、サーバ側電子メール受信部３４にて電子メールをＰＯＰプロトコルで受信するものである。
【００７１】
添付画像メモリ３８は、サーバ側電子メール受信部３４にて受信した電子メールに添付される添付画像、例えばＵＲＬ情報のＱＲコード画像を抽出すると、この抽出したＱＲコード画像を格納するものである。
【００７２】
尚、請求項記載のサイト情報検索出力システムはＦＡＸ用サイト情報検索出力システム１、サーバ装置はＱＲサーバ４、ファクシミリ装置はＦＡＸ装置６、二次元コード画像取得手段及び二次元コード復元手段はＱＲコード抽出復元部３９、サイト情報検索手段はＷｅｂ検索部３６、サーバ側送信手段はＦＡＸ通信部３３、ファクシミリ側受信手段は通信制御部１６、可視画像出力手段は印刷出力部２２、ファクシミリ側二次元コード画像取得手段は読取制御部１１、ファクシミリ側送信手段は通信制御部１６、サーバ側受信手段はＦＡＸ通信部３３、読取手段はハンドヘルドスキャナ６Ａ、二次元コード生成手段はＱＲコード生成部１３に相当するものである。
【００７３】
次に第１の実施の形態を示すＦＡＸ用サイト情報検索出力システム１の動作について説明する。図５は第１の実施の形態に関わるＦＡＸ側サイト情報要求処理に関わるＦＡＸ装置６内部の処理動作を示すフロー図である。
【００７４】
図５に示すＦＡＸ側サイト情報要求処理とは、所望のサイト情報の画像情報をＦＡＸ信号で要求すべく、同サイト情報に関わるＵＲＬ情報及び、同ＦＡＸ装置６の属性情報のＱＲコード画像をＦＡＸ信号でＱＲサーバ４に伝送する処理である。
【００７５】
図５においてＦＡＸ装置６の読取制御部１１は、操作パネル２３上のＱＲボタン２３Ａの開始操作を検出すると、ハンドヘルドスキャナ６Ａを通じて所望のサイト情報に関わるＵＲＬ情報のＱＲコードを印刷した印刷物７Ａから、同ＵＲＬ情報のＱＲコード画像を取得すべく、同ハンドヘルドスキャナ６Ａの読取動作を開始する（ステップＳ１１）。
【００７６】
読取制御部１１は、同読取動作が終了したか否かを判定する（ステップＳ１２）。尚、読取動作の終了は、ＱＲボタン２３Ａによる終了操作の検出に応じて認識し、読取動作が終了すると、この読み取ったＵＲＬ情報のＱＲコード画像を画像メモリ１２に格納するものである。
【００７７】
圧縮伸長制御部１７は、ステップＳ１２にて読取動作が終了すると、画像メモリ１２に格納中のＵＲＬ情報のＱＲコード画像を符号化処理ソフトで圧縮化し、同圧縮したＵＲＬ情報のＱＲコード画像を作業バッファ１５に格納する（ステップＳ１３）。
【００７８】
また、圧縮伸長制御部１７は、登録済みの属性情報のＱＲコード画像を読み出し、この属性情報のＱＲコード画像を符号化処理ソフトで圧縮化し、同圧縮した属性情報のＱＲコード画像を作業バッファ１５に格納する（ステップＳ１４）。尚、属性情報とは、同ＦＡＸ装置６のＦＡＸ番号及び機器タイプ等に相当し、登録済みの属性情報とは、ＱＲコードメモリ１４に予め格納した属性情報に相当するものである。
【００７９】
通信制御部１６は、作業バッファ１５に格納中のＵＲＬ情報のＱＲコード画像の圧縮データ及び属性情報のＱＲコード画像の圧縮データを変復調部１８に出力する（ステップＳ１５）。
【００８０】
通信制御部１６は、変復調部１８にてＵＲＬ情報のＱＲコード画像の圧縮データ及び属性情報のＱＲコード画像の圧縮データをＦＡＸ信号に変調し、同ＦＡＸ信号を通信メモリ１９に格納した後、同通信メモリ１９に格納中のＦＡＸ信号を公衆回線５Ａ経由でＱＲサーバ４に送信する送信動作を開始する（ステップＳ１６）。
【００８１】
通信制御部１６は、ＱＲサーバ４に対するＦＡＸ信号の送信動作が完了したか否かを判定する（ステップＳ１７）。
【００８２】
通信制御部１６は、ＱＲサーバ４に対するＦＡＸ信号の送信動作が完了したのであれば、所望サイトのＵＲＬ情報のＱＲコード画像及び属性情報のＱＲコード画像の送信動作が完了したものと判断し（ステップＳ１８）、このＦＡＸ側サイト情報要求処理の処理動作を終了する。
【００８３】
図５に示すＦＡＸ側サイト情報要求処理によれば、所望のサイト情報に関わるＵＲＬ情報のＱＲコード画像及び属性情報のＱＲコード画像をＦＡＸ信号に変換して、このＦＡＸ信号をＱＲサーバ４に送信するようにしたので、ＱＲサーバ４では、ＦＡＸ装置６側ユーザが所望のサイト情報に関わるＵＲＬ情報及び同ＦＡＸ装置６のＦＡＸ番号及び機器タイプを認識することができる。
【００８４】
図６及び図７はサイト情報取得処理に関わるＱＲサーバ４の処理動作を示すフロー図である。
【００８５】
図６及び図７に示すサイト情報取得処理は、ＦＡＸ装置６からのＵＲＬ情報のＱＲコード画像及び属性情報のＱＲコード画像のＦＡＸ信号を受信すると、ＦＡＸ装置６側ユーザ所望のサイト情報の画像情報をＷｅｂ検索部３６で検索取得し、この検索取得したサイト情報の画像情報をＦＡＸ信号で同ＦＡＸ装置６に提供する処理である。
【００８６】
図６においてＱＲサーバ４内のＦＡＸ通信部３３は、サーバ側回線制御部３１を通じて公衆回線５ＡからのＦＡＸ着信を検出したか否かを判定する（ステップＳ２１）。
【００８７】
ＦＡＸ通信部３３は、ＦＡＸ着信を検出する、つまりＦＡＸ装置６からのＦＡＸ信号を受信すると、このＦＡＸ信号をサーバ側通信メモリ４４に格納し、ＦＡＸ信号を圧縮データに復調すると共に、符号化処理部４２にて圧縮データを伸長することで、ＵＲＬ情報のＱＲコード画像及び属性情報のＱＲコード画像をサーバ側作業バッファ４１に格納する（ステップＳ２２）。
【００８８】
ＱＲコード抽出復元部３９は、サーバ側作業バッファ４１に格納中のＵＲＬ情報のＱＲコード画像及び属性情報のＱＲコード画像からＱＲコードを夫々抽出し、これら抽出したＱＲコードを復元する（ステップＳ２３）。
【００８９】
ＱＲコード抽出復元部３９は、復元内容にＵＲＬ情報があるか否かを判定する（ステップＳ２４）。
【００９０】
ＱＲコード抽出復元部３９は、復元内容にＵＲＬ情報があると判定されると、復元内容に属性情報があるか否かを判定する（ステップＳ２５）。
【００９１】
ＱＲコード抽出復元部３９は、復元内容に属性情報があると判定されると、同復元内容にＵＲＬ情報及び属性情報があるものと判断し、同ＵＲＬ情報及び属性情報をサーバ側ＱＲコードメモリ４０に格納する（ステップＳ２６）。
【００９２】
サーバ側通信制御部３５は、サーバ側ＱＲコードメモリ４０に格納中のＵＲＬ情報に基づき、Ｗｅｂ検索部３６にてＵＲＬ情報のサイト情報をＷｅｂ検索する（ステップＳ２７）。サーバ側通信制御部３５は、Ｗｅｂ検索部３６にてＵＲＬ情報のサイト情報の情報画像（ＨＴＭＬ記述データ、ＪＰＥＧ画像やｇｉｆ画像等）を取得してＷｅｂメモリ３７に格納する（ステップＳ２８）。
【００９３】
サーバ側データ変換部４３は、Ｗｅｂメモリ３７に格納中の情報画像をビットマップデータに変換し、このサイト情報のビットマップデータをサーバ側作業バッファ４１に格納して（ステップＳ２９）、図７に示すＭ１に移行する。
【００９４】
また、サーバ側システム制御部４７は、ステップＳ２４にて復元内容にＵＲＬ情報がないと判定されると、又はステップＳ２５にて復元内容に属性情報がないと判定されると、ＦＡＸ装置６からのサイト情報要求に関わるデータがないと判断し（ステップＳ３０）、次のＦＡＸ着信を監視すべく、ステップＳ２１に移行する。
【００９５】
図７に示すＭ１において符号化処理部４２は、サーバ側作業バッファ４１に格納中のビットマップデータを符号化処理ソフトでデータ圧縮し、この圧縮データをサーバ側作業バッファ４１に格納する（ステップＳ３１）。尚、データ圧縮は、サーバ側ＱＲコードメモリ４０に格納中の属性情報に含まれる機器タイプに基づき実行されるものである。
【００９６】
ＦＡＸ通信部３３は、サーバ側ＱＲコードメモリ４０に格納中の属性情報に含まれるＦＡＸ番号に基づき同ＦＡＸ装置６に対して、サーバ側回線制御部３１を通じてダイヤル発信動作を実行し（ステップＳ３２）、同ＦＡＸ装置６が応答したか否かを判定する（ステップＳ３３）。
【００９７】
ＦＡＸ通信部３３は、ＦＡＸ装置６が応答したのであれば、サーバ側作業バッファ４１に格納中のサイト情報の圧縮データを読み出し（ステップＳ３４）、この圧縮データをＦＡＸ信号に変調してサーバ側通信メモリ４４に格納し、このサーバ側通信メモリ４４に格納中のＦＡＸ信号を、公衆網５経由でＦＡＸ装置６に送信するＦＡＸ信号送信動作を開始する（ステップＳ３５）。
【００９８】
ＦＡＸ通信部３３は、ＦＡＸ信号の送信動作が完了すると（ステップＳ３６）、ＦＡＸ装置６側ユーザ所望のサイト情報のビットマップデータに関わるＦＡＸ信号が同ＦＡＸ装置６に送信されたものと判断し、この処理動作を終了する。
【００９９】
そして、ＦＡＸ装置６では、ＱＲサーバ４からのＦＡＸ信号を受信すると、通常のＦＡＸ受信動作でＦＡＸ信号を通信メモリ１９に格納し、この格納したＦＡＸ信号を変復調部１８にて復調して圧縮データを取得し、さらに圧縮伸長制御部１７にて同圧縮データを伸長することでサイト情報のビットマップデータを取得し、さらにビットマップデータを印刷出力部２２で印刷出力することになる。従って、ＦＡＸ装置６のユーザは、同印刷出力部２２の印刷出力で所望のサイト情報の画像を閲覧することができる。
【０１００】
また、図７に示すステップＳ３３にてＦＡＸ装置６が応答したのでなければ、ＦＡＸ応答するまで順次ＦＡＸ装置６が応答したか否かを監視すべく、ステップＳ３３の処理動作を実行するものである。尚、ステップＳ３３では、ＦＡＸ装置６が応答するまで繰り返し動作を実行するようにしたが、例えばＦＡＸ装置６が応答しない場合、このサイト情報取得処理を一度終了した後、所定のタイミングでＦＡＸ装置６のダイヤル発信動作を実行して、同ＦＡＸ装置６が応答した場合に同サイト情報の画像情報に関わるＦＡＸ信号をＦＡＸ装置に伝送するようにしても良い。
【０１０１】
図６及び図７に示すサイト情報取得処理によれば、ＦＡＸ装置６から所望のサイト情報に関わるＵＲＬ情報のＱＲコード画像及びＦＡＸ装置６の属性情報のＱＲコード画像をＦＡＸ信号で受信すると、同ＱＲコード画像からＱＲコードを抽出復元することでＵＲＬ情報及び属性情報を取得すると共に、同取得したＵＲＬ情報に基づきＷｅｂ検索を実行することでサイト情報の情報画像を取得し、この情報画像をビットマップデータに変換してＦＡＸ信号で同ＦＡＸ装置６に提供するようにしたので、ＦＡＸ装置６側では、同ＦＡＸ信号を受信して同ＦＡＸ信号のビットマップデータを印刷出力することで、ＦＡＸ装置６にＷｅｂ検索機能がなくても、所望のサイト情報の情報画像を閲覧することができる。
【０１０２】
第１の実施の形態によれば、ＦＡＸ装置６側のユーザは、閲覧したいサイト情報のＵＲＬ情報のＱＲコード画像及び同ＦＡＸ装置６の属性情報のＱＲコード画像を使用することで、音声認識を使用することなく、簡単に所望のサイト情報の情報画像を閲覧することができる。
【０１０３】
また、第１の実施の形態によれば、ＱＲサーバ４からサイト情報の画像情報を印刷出力可能とするＦＡＸ信号でＦＡＸ装置６に伝送するようにしたので、ＦＡＸ装置６では、ＱＲサーバ４と通信接続するための特別な通信プロトコル実装を要することなく、サイト情報の画像情報を可視画像出力するための複雑な構成も必要としない。
【０１０４】
尚、上記第１の実施の形態においては、図５のステップＳ１３にてＵＲＬ情報のＱＲコード画像を圧縮化すると共に、ステップＳ１４にて属性情報のＱＲコード画像を圧縮化することで、図４に示すようにＵＲＬ情報のＱＲコード画像と属性情報のＱＲコード画像とに分別してＦＡＸ信号でＱＲサーバ４に送信するようにしたが、図８に示すように、ＵＲＬ情報及び属性情報を合成して一つのＱＲコード画像をＦＡＸ信号でＱＲサーバ４に送信するようにしても良く、この場合の処理につき、第２の実施の形態として説明する。尚、第１の実施の形態に関わるシステム構成と同一のものには同一符号を付すことで、その重複する構成及び動作の説明については省略する。
【０１０５】
（実施の形態２）
図８は第２の実施の形態に関わる、ＦＡＸ装置６からＱＲサーバ４に送信するＱＲコードのデータ構成を示す説明図である。
【０１０６】
図８に示すようにＱＲコードのデータ構成は、図４に示すＵＲＬ情報のＱＲコード画像と、属性情報のＱＲコード画像とを分別するのではなく、ＵＲＬ情報及び属性情報を合成した一つのＱＲコード画像で構成するものである。
【０１０７】
第２の実施の形態に関わるＦＡＸ装置６のＱＲコード生成部１３は、ハンドヘルドスキャナ６Ａにて読み取ったＵＲＬ情報のＱＲコード画像からＱＲコードを抽出復元することでＵＲＬ情報のテキスト情報を取得すると共に、先に登録した属性情報のＱＲコードを復元することで属性情報のテキスト情報を取得し、これらＵＲＬ情報及び属性情報のテキスト情報を合成して一つの新たなＱＲコードのＱＲコード画像を生成するものである。
【０１０８】
そして、ＦＡＸ装置６では、ＱＲコード生成部１３にて生成したＵＲＬ情報及び属性情報のテキスト情報を合成して一つの新たなＱＲコードのＱＲコード画像を生成し、このＱＲコード画像をＦＡＸ信号でＱＲサーバ４に送信するものである。
【０１０９】
次に第２の実施の形態を示すＦＡＸ用サイト情報検索出力システム１の動作について説明する。図９は第２の実施の形態に関わるＦＡＸ側サイト情報要求処理に関わるＦＡＸ装置６内部の処理動作を示すフロー図である。
【０１１０】
図９に示すＦＡＸ側サイト情報要求処理が図５に示すＦＡＸ側サイト情報要求処理と異なるところは、ＵＲＬ情報のテキスト情報と属性情報のテキスト情報とを合成して一つの新たなＱＲコードを生成し、このＱＲコードのＱＲコード画像をＦＡＸ信号でＱＲサーバ４に送信した点にある。
【０１１１】
図９においてＦＡＸ装置６の読取制御部１１は、操作パネル２３上のＱＲボタン２３Ａの開始操作を検出すると、ハンドヘルドスキャナ６Ａを通じて所望のサイト情報に関わるＵＲＬ情報のＱＲコードを印刷した印刷物７Ａから、同ＵＲＬ情報のＱＲコード画像を取得すべく、同ハンドヘルドスキャナ６Ａによる読取動作を開始する（ステップＳ４１）。読取制御部１１は、同読取動作が終了したか否かを判定する（ステップＳ４２）。
【０１１２】
ＱＲコード生成部１３は、ステップＳ４２にて読取動作が終了すると、画像メモリ１２に格納中のＵＲＬ情報のＱＲコード画像からＱＲコードを抽出して同ＱＲコードを復元することでＵＲＬ情報のテキスト情報を取得し（ステップＳ４３）、この取得したＵＲＬ情報のテキスト情報を作業バッファ１５に格納する（ステップＳ４４）。
【０１１３】
また、ＱＲコード生成部１３は、ＱＲコードメモリ１４に登録済みの属性情報のテキスト情報を作業バッファ１５に格納し（ステップＳ４５）、同作業バッファ１５に格納中のＵＲＬ情報及び属性情報のテキスト情報を合成して、図８に示す一つのＱＲコードを生成し（ステップＳ４６）、このＵＲＬ情報及び属性情報のＱＲコードのＱＲコード画像を作業バッファ１５に格納する（ステップＳ４７）。
【０１１４】
圧縮伸長制御部１７は、ステップＳ４７にて格納中のＱＲコード画像を符号化処理ソフトで圧縮化し、同圧縮したＵＲＬ情報及び属性情報のＱＲコード画像を作業バッファ１５に格納する（ステップＳ４８）。
【０１１５】
通信制御部１６は、作業バッファ１５に格納中のＵＲＬ情報のＱＲコード画像の圧縮データ及び属性情報のＱＲコード画像の圧縮データを変復調部１８に出力する（ステップＳ４９）。
【０１１６】
通信制御部１６は、変復調部１８にてＵＲＬ情報及び属性情報のＱＲコード画像の圧縮データをＦＡＸ信号に変調し、これらＦＡＸ信号を通信メモリ１９に格納した後、同通信メモリ１９に格納中のＦＡＸ信号をＱＲサーバ４に送信する送信動作を開始する（ステップＳ５０）。
【０１１７】
通信制御部１６は、ＱＲサーバ４に対するＦＡＸ信号の送信動作が完了したか否かを判定する（ステップＳ５１）。
【０１１８】
通信制御部は、ＱＲサーバ４に対するＦＡＸ信号の送信動作が完了したのであれば、所望サイトのＵＲＬ情報のＱＲコード画像及び属性情報のＱＲコード画像のＦＡＸ信号による送信動作が完了したものと判断し（ステップＳ５２）、このＦＡＸ側サイト情報要求処理の処理動作を終了する。
【０１１９】
図９に示すＦＡＸ側サイト情報要求処理によれば、ハンドヘルドスキャナ６Ａで取得したＵＲＬ情報のＱＲコードのＱＲコード画像からＱＲコードを抽出復元することでＵＲＬ情報のテキスト情報を取得すると共に、ＱＲコードメモリ１４に登録済みの属性情報のテキスト情報を読み出し、これらＵＲＬ情報のテキスト情報及び属性情報のテキスト情報を合成してＵＲＬ情報及び属性情報のＱＲコードを新たに生成し、このＵＲＬ情報及び属性情報のＱＲコードをＦＡＸ信号に変換してＱＲサーバ４に送信するようにしたので、ＱＲサーバ４では、ＦＡＸ装置６側ユーザが所望のサイト情報に関わるＵＲＬ情報及び同ＦＡＸ装置６の宛先ＦＡＸ番号及び機器タイプを認識することができることはもちろんのこと、ＵＲＬ情報及び属性情報を合成したＱＲコードを生成してＦＡＸ信号で伝送するため、ＦＡＸ装置６からＱＲサーバ４に伝送するＦＡＸ信号のデータ伝送量を削減することができる。
【０１２０】
尚、上記第１の実施の形態においては、ＦＡＸ装置６にインターネット検索機能を備えていなくても、ＱＲサーバ４を活用して所望のサイト情報の画像情報を印刷出力することができるようにしたが、例えばカメラ付携帯電話機の場合、同カメラ付携帯電話機にインターネット検索機能を備えたとしても、同携帯電話機の表示画面が小さいため、同携帯電話機の表示画面上に所望のサイト情報が表示しきれないといった事態も考えられる。
【０１２１】
そこで、このような事態に対処すべく、本願発明のサイト情報検索出力システムの他の実施の形態として、第３の実施の形態を示すＦＡＸ用サイト情報検索出力システムについて説明する。
【０１２２】
（実施の形態３）
図１０は第３の実施の形態を示すＦＡＸ用サイト情報検索出力システム内部の概略構成を示すブロック図である。尚、第１の実施の形態を示すＦＡＸ用サイト情報検索出力システム１と同一の構成については同一符号を付すことで、その重複する構成及び動作の説明については省略する。
【０１２３】
図１０に示すＦＡＸ用サイト情報検索出力システム１Ａは、インターネット２に、例えば印刷物７Ａ上のＵＲＬ情報のＱＲコードのＱＲコード画像を撮像することができるカメラ付携帯電話機５０を備えたものである。
【０１２４】
図１１は同カメラ付携帯電話機５０内部の概略構成を示すブロック図である。
【０１２５】
図１１に示すカメラ付携帯電話機５０は、様々な情報を表示する表示部５１と、電話機能を司る携帯側通信制御部５２と、例えば印刷物７Ａ上のＱＲコードを撮像するカメラ部５３と、このカメラ部５３を駆動制御するカメラ機構駆動制御部５４と、様々な指令を入力する携帯側操作部５５と、カメラ部５３にて撮像した画像を格納する携帯側画像メモリ５６と、インターネット２経由での電子メール機能を司る携帯側電子メール通信制御部５７と、ＱＲコード生成機能を司る携帯側ＱＲコード生成部５８と、同ＱＲコードを格納する携帯側ＱＲコードメモリ５９と、このカメラ付携帯電話機５０全体を制御する携帯側制御部６０とを有している。
【０１２６】
携帯側画像メモリ５６は、カメラ部５３にてＵＲＬ情報のＱＲコードを撮像し、この撮像したＵＲＬ情報のＱＲコード画像を格納するものである。
【０１２７】
携帯側制御部６０は、例えば携帯側操作部５５を通じてＦＡＸ装置６の属性情報をテキスト情報で入力し、この属性情報のテキスト情報を携帯側ＱＲコードメモリ５９に格納するものである。
【０１２８】
また、携帯側ＱＲコード生成部５８は、携帯側画像メモリ５６に格納中のＵＲＬ情報のＱＲコード画像からＱＲコードを抽出し、この抽出したＱＲコードをＵＲＬ情報のテキスト情報に復元して携帯側ＱＲコードメモリ５９に格納するものである。
【０１２９】
さらに、携帯側ＱＲコード生成部５８は、携帯側ＱＲコードメモリ５９に格納中のＵＲＬ情報のテキスト情報と属性情報のテキスト情報とを合成して一つの新たなＱＲコードを生成し、このＱＲコードのＱＲコード画像を携帯側ＱＲコードメモリ５９に格納するものである。
【０１３０】
また、携帯側電子メール通信制御部５７は、携帯側ＱＲコードメモリ５９に格納中のＵＲＬ情報及び属性情報のＱＲコード画像を添付ファイルとして電子メールに添付し、この電子メールをＱＲサーバ４に伝送するものである。
【０１３１】
尚、請求項記載のカメラ付携帯端末装置はカメラ付携帯電話機５０、撮像手段はカメラ部５３、電子メール送信手段は携帯側電子メール通信制御部５７、電子メール受信手段はサーバ側電子メール受信部３４、端末側二次元コード生成手段は携帯側ＱＲコード生成部５８に相当するものである。
【０１３２】
次に第３の実施の形態を示すＦＡＸ用サイト情報検索出力システム１Ａの動作について説明する。図１２及び図１３は第３の実施の形態に関わる携帯側サイト情報要求処理のカメラ付携帯電話機５０内部の処理動作を示すフロー図である。
【０１３３】
図１２及び図１３に示す携帯側サイト情報要求処理とは、カメラ付携帯電話機のユーザが所望のサイト情報の画像情報のＦＡＸ装置６への伝送を要求すべく、同サイト情報に関わるＵＲＬ情報及び同ＦＡＸ装置６の属性情報のＱＲコード画像を電子メールでＱＲサーバ４に伝送する処理である。
【０１３４】
図１２においてカメラ付携帯電話機５０内の携帯側制御部６０は、例えば印刷物７Ａ上の所望のサイト情報に関わるＵＲＬ情報のＱＲコードをカメラ部５３にて撮像したか否かを判定する（ステップＳ６１）。
【０１３５】
携帯側制御部６０は、カメラ部５３にて所望のＵＲＬ情報のＱＲコードを撮像すると、このＱＲコード画像を携帯側画像メモリ５６に格納する（ステップＳ６２）。
【０１３６】
携帯側ＱＲコード生成部５８は、携帯側画像メモリ５６に格納中のＱＲコード画像からＱＲコードを抽出復元し（ステップＳ６３）、復元内容にＵＲＬ情報があるか否かを判定する（ステップＳ６４）。
【０１３７】
携帯側ＱＲコード生成部５８は、復元内容にＵＲＬ情報があると判定されると、同ＵＲＬ情報を携帯側ＱＲコードメモリ５９に格納する（ステップＳ６５）。
【０１３８】
携帯側制御部６０は、携帯側操作部５５で出力先であるＦＡＸ装置６のＦＡＸ番号等の属性情報をテキスト入力し（ステップＳ６６）、この入力操作が終了したか否かを判定する（ステップＳ６７）。
【０１３９】
携帯側制御部６０は、この入力した属性情報のテキスト情報を携帯側ＱＲコードメモリ５９に格納する（ステップＳ６８）。
【０１４０】
携帯側ＱＲコード生成部５８は、携帯側ＱＲコードメモリ５９に格納中のＵＲＬ情報及び属性情報のテキスト情報を読み出し（ステップＳ６９）、図１３に示すＭ２に移行する。
【０１４１】
また、携帯側制御部６０は、ステップＳ６１にてカメラ部５３にてＱＲコードを撮像したのでなければ、保存済みのＱＲコード画像を読み出したか否かを判定する（ステップＳ７０）。尚、保存済みのＱＲコード画像とは、携帯側画像メモリ５６で以前に取り込んだＵＲＬ情報のＱＲコード画像に相当するものである。
【０１４２】
携帯側制御部６０は、ステップＳ７０にて保存済みのＱＲコード画像を読み出したのでなければ、ステップＳ６１に移行する。また、携帯側制御部６０は、ステップＳ７０にて保存済みのＱＲコード画像を読み出したのであれば、同ＱＲコード画像に対するＱＲコードの抽出復元動作を実行すべく、ステップＳ６３に移行する。
【０１４３】
図１３に示すＭ２において携帯側ＱＲコード生成部５８は、携帯側ＱＲコードメモリ５９に格納中のＵＲＬ情報及び属性情報のテキスト情報をＱＲコードに変換し、このＱＲコードのＱＲコード画像を生成する生成動作を実行し（ステップＳ７１）、ＵＲＬ情報及び属性情報のＱＲコード画像の生成動作が完了したか否かを判定する（ステップＳ７２）。
【０１４４】
携帯側ＱＲコード生成部５８は、ＵＲＬ情報及び属性情報のＱＲコード画像の生成動作が完了したのであれば、このＱＲコード画像を携帯側ＱＲコードメモリ５９に格納する（ステップＳ７３）。
【０１４５】
そして、携帯側電子メール通信制御部５７は、携帯側操作部５６を通じてＱＲサーバ４の電子メール宛先を入力し（ステップＳ７４）、同電子メールに携帯側ＱＲコードメモリ５９に格納中のＵＲＬ情報及び属性情報のＱＲコード画像を添付する（ステップＳ７５）。
【０１４６】
そして、携帯側電子メール通信制御部５７は、このＵＲＬ情報及び属性情報のＱＲコード画像を添付した電子メールをインターネット２経由でＱＲサーバ４に伝送することで（ステップＳ７６）、この処理動作を終了するものである。
【０１４７】
図１２及び図１３に示す携帯側サイト情報要求処理によれば、所望のサイト情報に関わるＵＲＬ情報のＱＲコードを撮像することでＱＲコード画像を取得し、このＱＲコード画像を抽出復元することでＵＲＬ情報のテキスト情報を取得すると共に、さらに出力先のＦＡＸ装置６のテキスト情報を取得し、これらＵＲＬ情報及び属性情報のテキスト情報をＱＲコードに変換することでＵＲＬ情報及び属性情報のＱＲコード画像を取得し、このＱＲコード画像を添付した電子メールをＱＲサーバ４に伝送するようにしたので、ＱＲサーバ４では、カメラ付携帯電話機５０側ユーザが所望のサイト情報に関わるＵＲＬ情報及び出力先のＦＡＸ装置６の宛先ＦＡＸ番号及び機器タイプを認識することができる。
【０１４８】
図１４及び図１５は第３の実施の形態に関わるサイト情報取得処理に関わるＱＲサーバ４内部の処理動作を示すフロー図である。
【０１４９】
図１４及び図１５に示すサイト情報取得処理とは、カメラ付携帯電話機５０からＵＲＬ情報及び属性情報のＱＲコード画像を添付した電子メールを受信すると、カメラ付携帯電話機５０側ユーザ所望のサイト情報の画像情報をＷｅｂ検索部３６で検索取得し、この検索取得したサイト情報の画像情報をＦＡＸ信号でＦＡＸ装置６に提供する処理である。
【０１５０】
図１４においてＱＲサーバ４内のサーバ側電子メール受信部３４は、同ＱＲサーバ４の電子メールサーバにアクセスして（ステップＳ８１）、同ＱＲサーバ４宛の到着電子メールがあるか否かを判定する（ステップＳ８２）。
【０１５１】
サーバ側電子メール受信部３４は、到着電子メールがあると判定されると、電子メールの添付画像ファイルを添付画像メモリ３８に格納する（ステップＳ８３）。
【０１５２】
ＱＲコード抽出復元部３９は、添付画像メモリ３８に格納中のＱＲコード画像からＱＲコードを抽出し、この抽出したＱＲコードを復元する（ステップＳ８４）。
【０１５３】
ＱＲコード抽出復元部３９は、復元内容にＵＲＬ情報があるか否かを判定する（ステップＳ８５）。
【０１５４】
ＱＲコード抽出復元部３９は、復元内容にＵＲＬ情報があると判定されると、復元内容に属性情報があるか否かを判定する（ステップＳ８６）。
【０１５５】
ＱＲコード抽出復元部３９は、復元内容に属性情報があると判定されると、同復元内容にＵＲＬ情報及び属性情報があるものと判断し、同ＵＲＬ情報及び属性情報をサーバ側ＱＲコードメモリ４０に格納する（ステップＳ８７）。
【０１５６】
サーバ側通信制御部３５は、サーバ側ＱＲコードメモリ４０に格納中のＵＲＬ情報に基づき、Ｗｅｂ検索部３６にてＵＲＬ情報のサイト情報をＷｅｂ検索する（ステップＳ８８）。サーバ側通信制御部３５は、Ｗｅｂ検索部３６にてＵＲＬ情報のサイト情報の情報画像（ＨＴＭＬ記述データ、ＪＰＥＧ画像やｇｉｆ画像等）を取得してＷｅｂメモリ３７に格納する（ステップＳ８９）。
【０１５７】
サーバ側データ変換部４３は、Ｗｅｂメモリ３７に格納中の情報画像をビットマップデータに変換し、このサイト情報のビットマップデータをサーバ側作業バッファ４１に格納して（ステップＳ９０）、図１５に示すＭ３に移行する。
【０１５８】
また、サーバ側システム制御部４７は、ステップＳ８５にて復元内容にＵＲＬ情報がないと判定されると、又はステップＳ８６にて復元内容に属性情報がないと判定されると。ＦＡＸ装置６からのサイト情報要求に関わるデータがないと判断し（ステップＳ９１）、次のＦＡＸ着信を監視すべく、ステップＳ８１に移行する。
【０１５９】
図１５に示すＭ３において符号化処理部４２は、サーバ側作業バッファ４１に格納中のビットマップデータを符号化処理ソフトでデータ圧縮し、この圧縮データをサーバ側作業バッファ４１に格納する（ステップＳ１０１）。尚、データ圧縮は、サーバ側ＱＲコードメモリ４０に格納中の属性情報に含まれる機器タイプに基づき実行されるものである。
【０１６０】
ＦＡＸ通信部３３は、サーバ側ＱＲコードメモリ４０に格納中の属性情報に含まれるＦＡＸ番号に基づき同ＦＡＸ装置６に対して、サーバ側回線制御部３１を通じてダイヤル発信動作を実行し（ステップＳ１０２）、同ＦＡＸ装置６が応答したか否かを判定する（ステップＳ１０３）。
【０１６１】
ＦＡＸ通信部３３は、ＦＡＸ装置６が応答したのであれば、サーバ側作業バッファ４１に格納中のサイト情報の圧縮データを読み出し（ステップＳ１０４）、この圧縮データをＦＡＸ信号に変調してサーバ側通信メモリ４４に格納し、このサーバ側通信メモリ４４に格納中のＦＡＸ信号を、公衆網５経由でＦＡＸ装置６に送信するＦＡＸ信号送信動作を開始する（ステップＳ１０５）。
【０１６２】
ＦＡＸ通信部３３は、ＦＡＸ信号の送信動作が完了すると（ステップＳ１０６）、ＦＡＸ装置６側ユーザ所望のサイト情報のビットマップデータに関わるＦＡＸ信号が同ＦＡＸ装置６に送信されたものと判断し、この処理動作を終了する。
【０１６３】
そして、ＦＡＸ装置６では、ＱＲサーバ４からのＦＡＸ信号を受信すると、通常のＦＡＸ受信動作でＦＡＸ信号を通信メモリ１９に格納し、この格納したＦＡＸ信号を変復調部１８にて復調して圧縮データを取得し、さらに圧縮伸長制御部１７にて同圧縮データを伸長することでサイト情報のビットマップデータを取得し、さらにビットマップデータを印刷出力部２２で印刷出力することになる。従って、カメラ付携帯電話機５０のユーザは、同ＦＡＸ装置６の印刷出力部２２の印刷出力で所望のサイト情報の画像を閲覧することができる。
【０１６４】
また、図１５に示すステップＳ１０３にてＦＡＸ装置６が応答したのでなければ、ＦＡＸ応答するまで順次ＦＡＸ装置６が応答したか否かを監視すべく、ステップＳ１０３の処理動作を実行するものである。尚、ステップＳ１０３では、ＦＡＸ装置６が応答するまで繰り返し動作を実行するようにしたが、例えばＦＡＸ装置６が応答しない場合、このサイト情報取得処理を一度終了した後、所定のタイミングでＦＡＸ装置６のダイヤル発信動作を実行して、同ＦＡＸ装置６が応答した場合に同サイト情報の画像情報に関わるＦＡＸ信号をＦＡＸ装置に伝送するようにしても良い。
【０１６５】
図１４及び図１５に示すサイト情報取得処理によれば、カメラ付携帯電話機５０から所望のサイト情報に関わるＵＲＬ情報及びＦＡＸ装置６の属性情報のＱＲコード画像を電子メールでＱＲサーバ４に伝送すると、同電子メールに添付したＱＲコード画像からＱＲコード抽出復元することでＵＲＬ情報及び属性情報を取得すると共に、同取得したＵＲＬ情報に基づきＷｅｂ検索を実行することでサイト情報の情報画像を取得し、この情報画像をビットマップデータに変換してＦＡＸ信号で同ＦＡＸ装置６に提供するようにしたので、カメラ付携帯電話機５０のユーザは、出力先として指定したＦＡＸ装置６にてＱＲサーバ４からＦＡＸ信号を受信して同ＦＡＸ信号のビットマップデータを印刷出力することで、カメラ付携帯電話機の表示画面が小さく、しかもＦＡＸ装置６にＷｅｂ検索機能がなくても、所望のサイト情報の情報画像を閲覧することができる。
【０１６６】
第３の実施の形態によれば、カメラ付携帯電話機５０の表示画面を小さくて所望のサイト情報の全部を画面表示することができなくても、カメラ付携帯電話機５０側のユーザは、ＦＡＸ装置６の印刷出力で所望のサイト情報の情報画像を閲覧することができる。
【０１６７】
尚、第３の実施の形態においては、カメラ付携帯電話機５０の携帯側ＱＲコード生成部５８にて、ＵＲＬ情報のテキスト情報及び属性情報のテキスト情報を合成して新たなＱＲコードを生成し、このＱＲコード画像を添付した電子メールでＱＲサーバ４に伝送するようにしたが、ＵＲＬ情報のＱＲコード画像及び属性情報のＱＲコード画像を個別に電子メールに添付して同電子メールをＱＲサーバ４に伝送するようにしても、同様の効果が得られることは言うまでもない。
【産業上の利用可能性】
【０１６８】
本発明のサイト情報検索出力システムによれば、ファクシミリ装置のユーザが所望のサイト情報のＵＲＬ情報の二次元コードをサーバ装置にファクシミリ信号で伝送し、このサーバ装置側にて同ＵＲＬ情報に基づき、インターネット内のサイト情報を検索取得して同サイト情報の画像をファクシミリ信号でファクシミリ装置に伝送し、このファクシミリ装置でインターネット内の所望のサイト情報の画像を可視画像出力するようにしたので、ファクシミリ装置のユーザは、所望のサイト情報の画像を簡単に閲覧することができるため、インターネット検索機能を備えていないファクシミリ装置に有用である。
【図面の簡単な説明】
【０１６９】
【図１】本発明のサイト情報検索出力システムに関わる第１の実施の形態を示すＦＡＸ用サイト情報検索出力システム内部の概略構成を示すブロック図
【図２】第１の実施の形態を示すＦＡＸ用サイト情報検索出力システムの要部であるＦＡＸ装置内部の概略構成を示すブロック図
【図３】第１の実施の形態を示すＦＡＸ用サイト情報検索出力システムの要部であるＱＲサーバ内部の概略構成を示すブロック図
【図４】第１の実施の形態に関わるＦＡＸ装置からＱＲサーバに送信するＱＲコードのデータ構成を示す説明図
【図５】第１の実施の形態のＦＡＸ側サイト情報要求処理に関わるＦＡＸ装置内部の処理動作を示すフロー図
【図６】第１の実施の形態のサイト情報取得処理に関わるＱＲサーバ内部の処理動作を示すフロー図
【図７】第１の実施の形態のサイト情報取得処理に関わるＱＲサーバ内部の処理動作を示すフロー図
【図８】第２の実施の形態を示すＦＡＸ用サイト情報検索出力システムに関わるＦＡＸ装置からＱＲサーバに送信するＱＲコードのデータ構成を示す説明図
【図９】第２の実施の形態のＦＡＸ側サイト情報要求処理に関わるＦＡＸ装置内部の処理動作を示すフロー図
【図１０】第３の実施の形態を示すＦＡＸ用サイト情報検索出力システム内部の概略構成を示すブロック図
【図１１】第３の実施の形態を示すＦＡＸ用サイト情報検索出力システムの要部であるカメラ付携帯電話機内部の概略構成を示すブロック図
【図１２】第３の実施の形態の携帯側サイト情報要求処理に関わるカメラ付携帯電話機内部の処理動作を示すフロー図
【図１３】第３の実施の形態の携帯側サイト情報要求処理に関わるカメラ付携帯電話機内部の処理動作を示すフロー図
【図１４】第３の実施の形態のサイト情報取得処理に関わるＱＲサーバ内部の処理動作を示すフロー図
【図１５】第３の実施の形態のサイト情報取得処理に関わるＱＲサーバ内部の処理動作を示すフロー図
【符号の説明】
【０１７０】
１，１Ａ  ＦＡＸ用サイト情報検索出力システム（サイト情報検索出力システム）
２  インターネット
４  ＱＲサーバ（サーバ装置）
６  ＦＡＸ装置（ファクシミリ装置）
６Ａ  ハンドヘルドスキャナ（読取手段）
１１  読取制御部（ファクシミリ側二次元コード画像取得手段）
１３  ＱＲコード生成部（二次元コード生成手段）
１６  通信制御部（ファクシミリ側送信手段及びファクシミリ側受信手段）
２２  印刷出力部（可視画像出力手段）
３３  ＦＡＸ通信部（サーバ側送信手段及びサーバ側受信手段）
３４  サーバ側電子メール受信部（電子メール受信手段）
３６  Ｗｅｂ検索部（サイト情報検索手段）
３９  ＱＲコード抽出復元部（二次元コード画像取得手段及び二次元コード復元手段）
５０  カメラ付携帯電話機（カメラ付携帯端末装置）
５３  カメラ部（撮像手段）
５７  携帯側電子メール通信制御部（電子メール送信手段）
５８  携帯側ＱＲコード生成部（端末側二次元コード生成手段）
【図１】
2006126928.tif 000003
【図２】
2006126928.tif 000004
【図３】
2006126928.tif 000005
【図４】
2006126928.tif 000006
【図５】
2006126928.tif 000007
【図６】
2006126928.tif 000008
【図７】
2006126928.tif 000009
【図８】
2006126928.tif 000010
【図９】
2006126928.tif 000011
【図１０】
2006126928.tif 000012
【図１１】
2006126928.tif 000013
【図１２】
2006126928.tif 000014
【図１３】
2006126928.tif 000015
【図１４】
2006126928.tif 000016
【図１５】
2006126928.tif 000017